(57)【要約】【課題】屈曲性に優れた肩ベルト、鞄、装着器具、持ち手および手提げ鞄を提供する。【解決手段】肩ベルトは、帯状の芯材と、芯材の表面側に設けられた帯状の表地材と、芯材の裏面側に設けられた帯状の裏地材とを備えている。芯材、表地材および裏地材のうち少なくとも１つは、芯材の長手方向および短手方向のうち少なくとも長手方向に屈曲を促す複数の屈曲促進構造を有している。各屈曲促進構造は、芯材の長手方向と直交する方向または斜めに交差する方向に、連続または断続して延びている。【選択図】図３
2014104294.tif 000002
【特許請求の範囲】
【請求項１】
帯状の芯材と、
前記芯材の正面側に設けられた帯状の表地材と、
前記芯材の背面側に設けられた帯状の裏地材と
を備え、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
肩ベルト。
【請求項２】
前記複数の屈曲促進構造のうち全部または一部の屈曲促進構造は、前記表地材に設けられ、かつミシン目状の複数の針穴、複数の窪み、または１もしくは複数の第１の溝を含んで構成されている
請求項１に記載の肩ベルト。
【請求項３】
前記表地材は、前記裏地材と比べて厚手または硬質である
請求項２に記載の肩ベルト。
【請求項４】
前記複数の屈曲促進構造は、少なくとも前記芯材および前記表地材に設けられ、
前記芯材に設けられた複数の屈曲促進構造は、ミシン目状の複数の針穴、複数の窪み、１もしくは複数の第２の溝、１もしくは複数の開口、または切り欠きを含んで構成されている
請求項１ないし請求項３のいずれか一項に記載の肩ベルト。
【請求項５】
前記複数の屈曲促進構造は、少なくとも前記芯材および前記表地材に設けられ、
前記芯材に設けられた複数の屈曲促進構造と、前記表地材に設けられた複数の屈曲促進構造とは、全体または一部において、互いに重なり合う位置に設けられている
請求項１ないし請求項４のいずれか一項に記載の肩ベルト。
【請求項６】
前記複数の屈曲促進構造は、前記芯材、前記表地材および前記裏地材に設けられ、
前記芯材に設けられた複数の屈曲促進構造と、前記表地材に設けられた複数の屈曲促進構造と、前記裏地材に設けられた複数の屈曲促進構造とは、全体または一部において、互いに重なり合う位置に設けられている
請求項１ないし請求項５のいずれか一項に記載の肩ベルト。
【請求項７】
前記複数の屈曲促進構造は、少なくとも前記芯材および前記裏地材に設けられ、
前記裏地材に設けられた複数の屈曲促進構造のうち互いに隣接する２つの屈曲促進構造は、前記芯材に設けられた複数の屈曲促進構造に食い込んでいる
請求項１ないし請求項６のいずれか一項に記載の肩ベルト。
【請求項８】
前記複数の屈曲促進構造のうち全部または一部の屈曲促進構造は、前記芯材に設けられ、かつミシン目状の複数の針穴、複数の窪み、１もしくは複数の第２の溝、１もしくは複数の開口、または切り欠きを含んで構成されている
請求項１ないし請求項７のいずれか一項に記載の肩ベルト。
【請求項９】
前記芯材は、シート状の基材に前記複数の屈曲促進構造が設けられた形状となっている
請求項８に記載の肩ベルト。
【請求項１０】
前記芯材は、前記複数の屈曲促進構造が設けられた部分以外の部分において、場所に依らず均一またはほぼ均一な厚さとなっているか、または、前記芯材の幅方向の両端部を除いた部分において、前記芯材の幅方向の両端部の厚さよりも厚くなっている
請求項９に記載の肩ベルト。
【請求項１１】
前記芯材に設けられた複数の屈曲促進構造は、前記芯材の幅いっぱいに設けられ、かつ１もしくは複数の前記第２の溝または複数の前記窪みを含んで構成されている
請求項９または請求項１０に記載の肩ベルト。
【請求項１２】
一対の肩ベルトと、
前記一対の肩ベルトと連結された、収容部を含む本体部と
を備え、
各肩ベルトは、
帯状の芯材と、
前記芯材の正面側に設けられた帯状の表地材と、
前記芯材の背面側に設けられた帯状の裏地材と
を有し、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
鞄。
【請求項１３】
一対の肩ベルトと、
前記一対の肩ベルトを保持する保持部と
を備え、
各肩ベルトは、
帯状の芯材と、
前記芯材の正面側に設けられた帯状の表地材と、
前記芯材の背面側に設けられた帯状の裏地材と
を有し、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
装着器具。
【請求項１４】
帯状の芯材と、
前記芯材の正面側に設けられた帯状の表地材と、
前記芯材の背面側に設けられた帯状の裏地材と
を備え、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
持ち手。
【請求項１５】
一対の持ち手と、
前記一対の持ち手と連結された収容部と
を備え、
各持ち手は、
帯状の芯材と、
前記芯材の正面側に設けられた帯状の表地材と、
前記芯材の背面側に設けられた帯状の裏地材と
を有し、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
手提げ鞄。
【請求項１６】
各持ち手は、前記表地材の正面と前記収容部の内面とが互いに接するか、または前記裏地材の背面と前記収容部の外面とが互いに接することにより、前記収容部に固定されている
請求項１５に記載の手提げ鞄。
【発明の詳細な説明】
【技術分野】
【０００１】
本開示は、ランドセルやリュックサック等の背負い鞄、学生鞄やビジネスバッグ等のショルダーバッグ、その他各種用途に適用可能な肩ベルト、ならびにそれを備えた鞄および装着器具に関する。また、本開示は、手提げ鞄に適用可能な持ち手、およびそれを備えた手提げ鞄に関する。
【背景技術】
【０００２】
低学年の学童にとっては、ランドセルの重さは、かなりの負担となっている。そのような負担を軽減するために、従来から、ランドセルには、軽量化や、荷重の分散化、重心位置の調整などの様々な工夫がなされている。例えば、特許文献１では、肩ベルトを肩に掛けたときに、肩ベルトが肩に食い込んで痛くならないよう、クッション材が肩ベルトに設けられている。
【０００３】
ランドセル用の肩ベルトは、クッション性だけでなく、６年間の使用に耐えるだけの耐久性を持っていることが重要である。ランドセル用の肩ベルトでは、例えば、クッション材が、柔軟な皮革材（裏地材）で被覆されるとともに、クッション材の表面側に、硬質な皮革材（表地材）がクッション材および裏地材と一緒に縫い合わされることで、クッション性と耐久性の両立が図られている。
【先行技術文献】
【特許文献】
【０００４】
【特許文献１】特開平１０−８０３１１号公報
【発明の概要】
【発明が解決しようとする課題】
【０００５】
ところで、表地材は、通常、耐久性を持たせるために、厚手になっていたり、硬質になっていたりする。また、クッション材や裏地材に対しても耐久性を持たせる場合には、クッション材自体や裏地材自体が厚手になっていたり、硬質になっていたりする。しかし、肩ベルトに使用されている素材が厚手になっていたり、硬質になっていたりすると、肩ベルトの屈曲性が損なわれるおそれがある。
【０００６】
肩ベルトの屈曲性とは、肩ベルトを肩に掛けたときに、肩ベルトが肩や脇腹に沿って変形する変形し易さを指している。従って、肩ベルトの屈曲性には、肩ベルトの長手方向の屈曲性だけでなく、肩ベルトの短手方向の屈曲性（つまり、ねじれ性）の意味も含まれる。従来の肩ベルトでは、屈曲性があまり優れておらず、肩ベルトと肩や脇腹との間に隙間ができ、荷重の分散化が十分ではなかった。
【０００７】
特に、現代では、教科書や副教材の大型化に伴い、それらを収容するランドセルの大型化が進んでおり、大型化は、ランドセル内の教科書等の重量増大を招くだけでなく、ランドセルそのものの重量増大にもつながっている。その重量は、低学年の学童にとっては、非常に大きな負担となっている。そのため、肩ベルトによる荷重の分散化をさらに推進する必要があった。
【０００８】
なお、上記の問題は、ランドセル固有の問題ではなく、リュックサック等の背負い鞄、学生鞄やビジネスバッグ等のショルダーバッグ、その他各種分野においても生じ得る問題である。また、上記の問題は、肩ベルトだけに生じ得るものではなく、例えば、手提げ鞄の持ち手においても生じ得る。
【０００９】
本開示はかかる問題点に鑑みてなされたもので、その目的は、屈曲性に優れた肩ベルト、ならびにそれを備えた鞄および装着器具を提供するとともに、屈曲性に優れた持ち手およびそれを備えた手提げ鞄を提供することにある。
【課題を解決するための手段】
【００１０】
本開示の肩ベルトは、帯状の芯材と、芯材の正面側に設けられた帯状の表地材と、芯材の背面側に設けられた帯状の裏地材とを備えている。芯材、表地材および裏地材のうち少なくとも１つは、芯材の長手方向および短手方向のうち少なくとも長手方向に屈曲を促す複数の屈曲促進構造を有している。各屈曲促進構造は、長手方向と直交する方向または斜めに交差する方向に連続または断続して延びている。
【００１１】
本開示の鞄は、一対の肩ベルトと、一対の肩ベルトと連結された、収容部を含む本体部とを備えている。本開示の鞄に設けられた各肩ベルトは、本開示の肩ベルトと同一の構成要素を有している。本開示の装着器具は、一対の肩ベルトと、一対の肩ベルトを保持する保持部とを備えている。本開示の装着器具に設けられた各肩ベルトは、本開示の肩ベルトと同一の構成要素を有している。
【００１２】
本開示の持ち手は、帯状の芯材と、芯材の正面側に設けられた帯状の表地材と、芯材の背面側に設けられた帯状の裏地材とを備えている。芯材、表地材および裏地材のうち少なくとも１つは、芯材の長手方向および短手方向のうち少なくとも長手方向に屈曲を促す複数の屈曲促進構造を有している。各屈曲促進構造は、長手方向と直交する方向または斜めに交差する方向に連続または断続して延びている。
【００１３】
本開示の手提げ鞄は、一対の持ち手と、一対の持ち手と連結された収容部とを備えている。本開示の手提げ鞄に設けられた各持ち手は、本開示の持ち手と同一の構成要素を有している。各持ち手は、例えば、表地材の正面と収容部の内面とが互いに接するか、または裏地材の背面と収容部の外面とが互いに接することにより、収容部に固定されている。
【００１４】
本開示の肩ベルト、鞄、装着器具、持ち手および手提げ鞄では、芯材、表地材および裏地材のうち少なくとも１つに、長手方向と直交する方向または斜めに交差する方向に、連続または断続して延びている複数の屈曲促進構造が設けられている。これにより、肩ベルトまたは持ち手が、屈曲促進構造の設けられている箇所で折れ曲がり易くなる。その結果、例えば、肩ベルトを肩に掛けたときに、肩ベルトが屈曲促進構造の設けられている箇所で折れ曲がり、肩や脇腹に沿う方向に変形する。また、例えば、持ち手を手で持ったときに、持ち手が屈曲促進構造の設けられている箇所で折れ曲がり、手のひらに沿う方向に変形する。
【００１５】
複数の屈曲促進構造のうち全部または一部の屈曲促進構造が、表地材に設けられていてもよい。このとき、表地材に設けられた各屈曲促進構造は、ミシン目状の複数の針穴、複数の窪み、または１もしくは複数の第１の溝を含んで構成されていてもよい。このようにした場合には、表地材が屈曲促進構造の設けられていない部材（例えば裏地材）と比べて厚手または硬質となっているときであっても、複数の屈曲促進構造によって、肩ベルトに優れた屈曲性を持たせることができる。従って、表地材に屈曲促進構造を設けた場合には、屈曲性を損なうことなく、表地材を、裏地材と比べて厚手または硬質にすることが可能である。
【００１６】
複数の屈曲促進構造が、少なくとも芯材および表地材に設けられていてもよい。このとき、芯材に設けられた各屈曲促進構造は、ミシン目状の複数の針穴、複数の窪み、１もしくは複数の第２の溝、１もしくは複数の開口、または切り欠きを含んで構成されていてもよい。このようにした場合には、表地材だけに複数の屈曲促進構造を設けたときよりも、肩ベルトに対して、より優れた屈曲性を持たせることができる。
【００１７】
複数の屈曲促進構造が、表地材および裏地材のいずれにも設けられておらず、芯材だけに設けられていてもよい。このとき、芯材に設けられた各屈曲促進構造は、ミシン目状の複数の針穴、複数の窪み、１もしくは複数の第２の溝、１もしくは複数の開口、または切り欠きを含んで構成されていてもよい。このようにした場合には、外部に屈曲促進構造を露出させずに、肩ベルトに屈曲性を持たせることができる。
【００１８】
複数の屈曲促進構造が、少なくとも芯材および表地材に設けられていてもよい。このとき、芯材の複数の屈曲促進構造と、表地材の複数の屈曲促進構造とが、全体または一部において、互いに重なり合う位置に設けられていてもよい。このようにした場合には、屈曲の起点が、芯材および表地材において、互いに重なり合うので、肩ベルトに優れた屈曲性を持たせることができる。
【００１９】
複数の屈曲促進構造が、芯材、表地材および裏地材の全てに設けられていてもよい。このとき、芯材の複数の屈曲促進構造と、表地材の複数の屈曲促進構造と、裏地材の複数の屈曲促進構造とが、全体または一部において、互いに重なり合う位置に設けられていてもよい。このようにした場合には、屈曲の起点が、芯材、表地材および裏地材の全てにおいて、互いに重なり合うので、肩ベルトに対して、非常に優れた屈曲性を持たせることができる。
【００２０】
例えば、以下のようにして、表地材の複数の屈曲促進構造と、芯材の複数の屈曲促進構造と、裏地材の複数の屈曲促進構造とを、全体または一部において、互いに重なり合う位置に設けることが可能である。例えば、表地材、芯材および裏地材を互いに重ね合わせた状態で縫製する。このとき、縫製箇所に芯材が設けられている場合には、表地材、芯材および裏地材に縫い目が形成される。縫い目では、表地材、芯材および裏地材の全てに対して、くびれができているので、縫い目またはくびれは、屈曲の起点として作用する。そのため、表地材の縫い目またはくびれが表地材の屈曲促進構造として機能し、芯材の縫い目またはくびれが芯材の屈曲促進構造として機能し、裏地材の縫い目またはくびれが裏地材の屈曲促進構造として機能する。ここで、表地材、芯材および裏地材の縫い目は、縫製によって一括して形成されるので、表地材の屈曲促進構造と、芯材の屈曲促進構造と、裏地材の屈曲促進構造とが、互いに重なり合う位置に形成される。なお、縫製箇所に芯材が設けられていない場合、例えば、芯材に開口や切り欠きが設けられている場合には、芯材の開口や切り欠きが芯材の屈曲促進構造として機能する。従って、この場合にも、表地材の屈曲促進構造と、芯材の屈曲促進構造と、裏地材の屈曲促進構造とが、互いに重なり合う位置に形成される。
【００２１】
また、複数の屈曲促進構造が、少なくとも芯材および裏地材に設けられていてもよい。このとき、裏地材の複数の屈曲促進構造のうち互いに隣接する２つの屈曲促進構造が、芯材に設けられた複数の屈曲促進構造に食い込んでいてもよい。このようにした場合には、裏地材のうち２つの屈曲促進構造で挟まれた部分が凸形状となるので、肩ベルトに対して、優れた屈曲性を持たせることができるだけでなく、裏地材に滑り止め機能を持たせることができる。
【００２２】
例えば、以下のようにして、裏地材のうち２つの屈曲促進構造で挟まれた部分を凸形状にすることが可能である。例えば、表地材、芯材および裏地材のうち少なくとも芯材および裏地材を互いに重ね合わせた状態で、互いに隣接する２カ所を縫製する。このとき、縫製箇所に芯材を設けておくことにより、裏地材の縫い目が芯材に食い込み、芯材のうち、裏地材の縫い目が食い込んだ箇所に、縫い目ができる。縫い目では、縫製された全ての基材に対して、くびれができているので、縫い目またはくびれは、屈曲の起点として作用する。そのため、例えば、裏地材の縫い目またはくびれが裏地材の屈曲促進構造として機能し、芯材の縫い目またはくびれが芯材の屈曲促進構造として機能する。また、裏地材の縫い目が芯材に食い込むことにより、裏地材のうち２カ所の縫製箇所で挟まれた部分が凸形状となる。従って、表地材、芯材および裏地材のうち少なくとも芯材および裏地材を互いに重ね合わせた状態で、互いに隣接する２カ所を縫製することにより、裏地材のうち２つの屈曲促進構造で挟まれた部分に、凸形状が形成される。
【００２３】
表地材と裏地材は互いに別体で構成されていてもよい。この場合、肩ベルトまたは持ち手が、例えば、表地材、芯材および裏地材をこの順に積層した３層構造となっていてもよい。また、肩ベルトまたは持ち手が、例えば、芯材の上面、下面および側面を裏地材で包んだ上で、裏地材のうち、芯材の上面と対向する部分に表地材を貼り合わせた構成となっていてもよい。
【００２４】
表地材と裏地材は互いに共通の１枚の基材で構成されていてもよい。この場合、肩ベルトまたは持ち手は、例えば、芯材を間にして、上記の１枚の基材を２つに折りたたんだ構成となっていてもよい。また、肩ベルトまたは持ち手は、例えば、芯材を間にして、上記の１枚の基材を２つに折りたたむとともに、上記の１枚の基材のうち、芯材の上面および下面と対向する部分を、内側に折り込んだ構成となっていてもよい。なお、芯材の上面または下面と対向する部分を、芯材を巻き込まずに内側に折り込んでもよいし、芯材を巻き込んで内側に折り込んでもよい。
【発明の効果】
【００２５】
本開示の肩ベルト、鞄および装着器具によれば、肩ベルトを、屈曲促進構造によって折れ曲がり易くしたので、例えば、肩ベルトを肩に掛けたときに、肩ベルトと肩や脇腹との間に隙間ができ難く、肩ベルトが肩や脇腹にフィットする面積を大きくすることができる。その結果、荷重の分散化を十分に行うことが可能である。従って、本開示の肩ベルトは、屈曲性に優れている。
【００２６】
本開示の持ち手および手提げ鞄によれば、持ち手を、屈曲促進構造によって折れ曲がり易くしたので、例えば、持ち手を手で持ったときに、持ち手と手のひらとの間に隙間ができ難く、持ち手が手のひらにフィットする面積を大きくすることができる。その結果、荷重の分散化を十分に行うことが可能である。従って、本開示の持ち手は、屈曲性に優れている。
【００２７】
また、本開示の肩ベルトおよび持ち手において、屈曲促進構造の形成場所や形状、形成方法を上述したようにすることにより、肩ベルトおよび持ち手に対して非常に優れた屈曲性を持たせることができ、さらには、裏地材に滑り止め機能を持たせることもできる。
【図面の簡単な説明】
【００２８】
【図１】本開示の第１の実施の形態に係るランドセルの斜視構成の一例を表す図である。
【図２】図１の肩ベルトの正面構成の一例を表す図である。
【図３】図２の肩ベルトの一部を拡大して表す図である。
【図４】図３の肩ベルトの背面構成の一例を表す図である。
【図５】図３の肩ベルトのＡ−Ａ矢視方向の断面構成の一例を表す図である。
【図６】図３の肩ベルトのＢ−Ｂ矢視方向の断面構成の一例を表す図である。
【図７】図３の肩ベルトを展開して表す図である。
【図８】肩ベルトの第１変形例を表す図である。
【図９】肩ベルトの第２変形例を表す図である。
【図１０】肩ベルトの第３変形例を表す図である。
【図１１】肩ベルトの第４変形例を表す図である。
【図１２】図１１の肩ベルトを展開して表す図である。
【図１３】肩ベルトの第５変形例を表す図である。
【図１４】肩ベルトの第６変形例を表す図である。
【図１５】肩ベルトの第７変形例を表す図である。
【図１６】肩ベルトの第８変形例を表す図である。
【図１７】肩ベルトの第９変形例を表す図である。
【図１８】肩ベルトの第１０変形例を表す図である。
【図１９】肩ベルトの第１１変形例を表す図である。
【図２０】肩ベルトの第１２変形例を表す図である。
【図２１】肩ベルトの第１３変形例を表す図である。
【図２２】肩ベルトの第１４変形例を表す図である。
【図２３】肩ベルトの第１５変形例を表す図である。
【図２４】上記各肩ベルトの構成をまとめた図である。
【図２５】上記各肩ベルトの構成をまとめた図である。
【図２６】芯材の屈曲促進構造の第１変形例を表す図である。
【図２７】芯材の屈曲促進構造の第２変形例を表す図である。
【図２８】芯材の屈曲促進構造の第３変形例を表す図である。
【図２９】裏地材の屈曲促進構造の第１変形例を表す図である。
【図３０】裏地材の屈曲促進構造の第２変形例を表す図である。
【図３１】裏地材の屈曲促進構造の第３変形例を表す図である。
【図３２】表地材の屈曲促進構造の第１変形例を表す図である。
【図３３】表地材の屈曲促進構造の第２変形例を表す図である。
【図３４】表地材の屈曲促進構造の第３変形例を表す図である。
【図３５】肩ベルトの第１６変形例を表す図である。
【図３６】肩ベルトの第１７変形例を表す図である。
【図３７】肩ベルトの第１８変形例を表す図である。
【図３８】肩ベルトの第１９変形例を表す図である。
【図３９】図３８の肩ベルトの断面構成の他の例を表す図である。
【図４０】屈曲促進構造の向きの一例を表す図である。
【図４１】屈曲促進構造の向きの他の例を表す図である。
【図４２】屈曲促進構造の向きのその他の例を表す図である。
【図４３】本開示の第２の実施の形態に係る装着器具の斜視構成の一例を表す図である。
【図４４】本開示の第３の実施の形態に係る手提げ鞄の斜視構成の一例を表す図である。
【図４５】図４４の手提げ鞄の斜視構成の他の例を表す図である。
【図４６】持ち手の正面構成の一例を表す図である。
【図４７】図４６の持ち手のＡ−Ａ矢視方向の断面構成の一例を表す図である。
【図４８】図４６の持ち手のＢ−Ｂ矢視方向の断面構成の一例を表す図である。
【図４９】屈曲促進構造の向きの一例を表す図である。
【図５０】屈曲促進構造の向きの他の例を表す図である。
【図５１】屈曲促進構造の向きのその他の例を表す図である。
【発明を実施するための形態】
【００２９】
以下、本開示の実施の形態について、図面を参照して詳細に説明する。なお、説明は以下の順序で行う。
１．第１の実施の形態（ランドセル）
２．第１の実施の形態の変形例（ランドセル）
３．第２の実施の形態（装着器具）
４．第３の実施の形態（手提げ鞄）
【００３０】
＜１．第１の実施の形態＞
［構成］
図１は、本開示の第１の実施の形態に係るランドセル１の斜視構成の一例を表したものである。ランドセル１は、例えば、本体部１０と、一対の肩ベルト２０と、一対の接続ベルト３０とを備えている。一対の肩ベルト２０と、一対の接続ベルト３０とが、本体部１０と連結されている。本体部１０は、例えば、収容部１１、背板部１２、かぶせ部１３、固定部１４および固定部１５を有している。
【００３１】
収容部１１は、教科書や副教材などを収容可能な空隙を有しており、例えば、背板部１２とともに、上端に開口を有する箱体を構成している。背板部１２は、使用者の背中への当たりを柔らかくするものであり、例えば、クッション材を含む板状の形状となっている。かぶせ部１３は、収容部１１および背板部１２によって形成される箱体の開口を塞ぐものである。かぶせ部１３の一端は、例えば、背板部１２の上端に縫着するなどして取り付けられている。かぶせ部１３の他端は、係合板（図示せず）を介して、上記箱体の底面に設けられた固定部１５に係脱自在に取り付けられている。固定部１４は、肩ベルト２０の一端を本体部１０に固定するものであり、背板部１２の上端に設けられている。固定部１５は、かぶせ部１３の他端を係脱自在に固定するとともに、接続ベルト３０の一端を本体部１０に固定するものであり、上記箱体の底面に設けられている。
【００３２】
肩ベルト２０は、ランドセル１を背中に背負うためのものであり、帯状の形状となっている。肩ベルト２０の一端は、上述したように固定部１４に固定されており、肩ベルト２０の他端は、接続ベルト３０を介して本体部１０の固定部１５に固定されている。そのため、一対の肩ベルト２０を両肩に掛けることにより、ランドセル１を背中に背負うことが可能である。
【００３３】
図２は、一対の肩ベルト２０の正面構成例を表したものである。図２の左側の肩ベルト２０が、使用者の右肩に掛ける右側肩ベルト２０Ａであり、図２の右側の肩ベルト２０が、使用者の左肩に掛ける左側肩ベルト２０Ｂである。右側肩ベルト２０Ａおよび左側肩ベルト２０Ｂは、ともに、帯状に延在している。右側肩ベルト２０Ａと、左側肩ベルト２０Ｂとでは、正面から見たときの平面構成が左右対称となっており、厚さ方向（図２のＹ軸方向）の構成が互いに共通している。そこで、以下では、右側肩ベルト２０Ａおよび左側肩ベルト２０Ｂの共通事項の説明においては、右側肩ベルト２０Ａまたは左側肩ベルト２０Ｂの代わりに、肩ベルト２０を適宜、用いるものとする。また、図面には、左側肩ベルト２０Ｂの構成だけを示すものとする。
【００３４】
図３は、図２に記載の左側肩ベルト２０Ｂの一部を拡大して表したものである。図４は、図３に記載の左側肩ベルト２０Ｂの背面側の構成を表したものである。図５は、図３に記載の左側肩ベルト２０ＢのＡ−Ａ矢視方向の断面構成例を表したものである。図６は、図３に記載の左側肩ベルト２０ＢのＢ−Ｂ矢視方向の断面構成例を表したものである。図７は、図３〜図６に記載の左側肩ベルト２０Ｂの一部を展開して表したものである。
【００３５】
左側肩ベルト２０Ｂ（以下、便宜的に「肩ベルト２０」と称する。）は、例えば、図５、図６に示したように、帯状の芯材２１、帯状の裏地材２２および帯状の表地材２３を含む積層体を有している。裏地材２２および表地材２３は、芯材２１の延在方向に延在している。肩ベルト２０は、また、例えば、図２〜図４に示したように、固定部１４側の端部に、積層体の周囲を覆う補強材２４を有し、固定部１５側の端部に、積層体の周囲を覆う補強材２５を有している。肩ベルト２０は、さらに、例えば、図２〜図４に示したように、積層体および補強材２４を貫通する複数の小孔２６を有し、積層体および補強材２５を貫通する複数の小孔２７を有している。複数の小孔２７は、肩ベルト２０の延在方向に並んで配置されている。小孔２６は、肩ベルト２０を固定部１４に固定するときに使用されるものである。なお、小孔２６以外の方法で、肩ベルト２０が固定部１４に固定されていてもよい。小孔２７は、接続ベルト３０の連結環に設けられた掛止爪を挿通するものである。複数の小孔２７のうちのいずれか１つに掛止爪を挿通することにより、肩ベルト２０の長さが調整される。
【００３６】
芯材２１は、例えば、肩ベルト２０が肩に食い込んで痛くならないよう、クッション性を有しており、例えば、ウレタンなどの発泡合成樹脂材で構成されている。なお、芯材２１は、クッション性のあまり無い材料で構成されていてもよい。
【００３７】
芯材２１は、例えば、シート状の基材に、複数の屈曲促進構造（後述する縫い目２９などの屈曲促進構造）が設けられた形状となっている。芯材２１がそのような形状となっている場合、芯材２１は、複数の屈曲促進構造が設けられた部分以外の部分において、場所に依らず均一またはほぼ均一な厚さとなっているか、または、芯材２１の幅方向の両端部を除いた部分において、芯材２１の幅方向の両端部の厚さよりも厚くなっている。本実施の形態において、芯材２１は、そのような形状となっていなくてもよく、例えば、基材の所定の位置に、基材の他の部位よりも突出した凸部が設けられた形状となっていてもよい。なお、芯材２１が、シート状の基材に、複数の屈曲促進構造（縫い目２９などの屈曲促進構造）が設けられた形状となっている場合には、縫い目２９などの屈曲促進構造による屈曲性をより効果的に発現させることができる。
【００３８】
裏地材２２は、芯材２１を保護するものであり、例えば、図５に示したように、芯材２１の背面だけでなく、芯材２１の側面および正面側も覆うように設けられている。裏地材２２は、例えば、芯材２１のクッション性を損なわないよう、薄手で、比較的軟質な素材で構成されており、例えば、薄い皮革で構成されている。表地材２３は、芯材２１を保護するとともに、肩ベルト２０に剛性を付与するものであり、例えば、図５、図６に示したように、芯材２１の正面側に設けられている。表地材２３は、裏地材２２と比べて厚手または硬質であり、例えば、裏地材２２よりも厚い皮革で構成されている。
【００３９】
ところで、肩ベルト２０は、例えば、図３〜図５に示したように、当該肩ベルト２０の外縁に、１または複数の縫い目２８を有している。縫い目２８は、芯材２１、裏地材２２、表地材２３、補強材２４および補強材２５を互いに固定するものであり、例えば、肩ベルト２０の長手方向に延在している。縫い目２８は、芯材２１、裏地材２２、表地材２３、補強材２４および補強材２５を互いに重ね合わせた状態で縫製することにより形成されている。肩ベルト２０は、さらに、例えば、図３〜図６に示したように、縫い目２８とは別に１または複数の縫い目２９を有している。縫い目２９は、縫い目２８と同様に、芯材２１、裏地材２２、表地材２３、補強材２４および補強材２５を互いに重ね合わせた状態で縫製することにより形成されている。
【００４０】
縫い目２８，２９は、例えば、図５、図６に示したように、上述の積層体を貫通している。そのため、芯材２１、裏地材２２および表地材２３のうち縫い目２８，２９の形成されている部分には、ミシン目状の複数の針穴が形成されている。なお、図７（Ａ）には、表地材２３のうち縫い目２９に対応する部分に、ミシン目状の複数の針穴２９Ａが設けられている様子が示されている。また、図７（Ｂ）には、芯材２１のうち縫い目２９に対応する部分に、ミシン目状の複数の針穴２９Ｂが設けられている様子が示されている。また、図７（Ｃ）には、裏地材２２のうち縫い目２９に対応する部分にミシン目状の複数の針穴２９Ｃが設けられている様子が示されている。
【００４１】
ミシン目状の複数の針穴２９Ａ，２９Ｂ，２９Ｃは、縫い目２９に対応する部分に形成されている関係から、全体において、互いに重なり合う位置に設けられている。裏地材２２の複数の針穴２９Ｃは、縫製によって芯材２１に食い込んでおり、芯材２１のうち、裏地材２２の複数の針穴２９Ｃが食い込んだ箇所に、複数の針穴２９Ｂが形成されている。つまり、裏地材２２の複数の針穴２９Ｃは、芯材２１の複数の針穴２９Ｂに食い込んでいる。さらに、表地材２３の複数の針穴２９Ａも、縫製によって裏地材２２の複数の針穴２９Ｃに食い込んでいる。このように、裏地材２２の複数の針穴２９Ｃが芯材２１の複数の針穴２９Ｂに食い込んでおり、さらに、表地材２３の複数の針穴２９Ａも、裏地材２２の複数の針穴２９Ｃに食い込んでいる。
【００４２】
ミシン目状の複数の針穴２９Ｃが芯材２１に食い込むことにより、芯材２１のうち、互いに隣接する２カ所の縫製箇所（ミシン目状の複数の針穴２９Ｂ）で挟まれた部分が凸形状となっている。これにより、裏地材２２にも、芯材２１の凸形状に倣って凸形状が形成されている。さらに、ミシン目状の複数の針穴２９Ｃがミシン目状の複数の針穴２９Ｂに食い込むとともに、ミシン目状の複数の針穴２９Ａもミシン目状の複数の針穴２９Ｃに食い込んでいる。これにより、芯材２１、裏地材２２および表地材２３には、針穴２９Ａ，２９Ｂ，２９Ｃ（または縫い目２９）によって、くびれができている。
【００４３】
縫い目２９は、肩ベルト２０の長手方向と直交する方向または斜めに交差する方向に連続または断続して延びている縫い目（第１の縫い目）を含んで構成されている。従って、第１の縫い目は、芯材２１、裏地材２２および表地材２３に形成されたくびれによって屈曲の起点となり、肩ベルト２０の長手方向および短手方向のうち少なくとも長手方向に屈曲を促す機能を有している。つまり、第１の縫い目は、本開示の「屈曲促進構造」の一具体例に相当する。また、ミシン目状の複数の針穴２９Ａのうち肩ベルト２０の長手方向と直交する方向または斜めに交差する方向に延びている部分も、本開示の「屈曲促進構造」の一具体例に相当する。同様に、ミシン目状の複数の針穴２９Ｂのうち肩ベルト２０の長手方向と直交する方向または斜めに交差する方向に延びている部分や、ミシン目状の複数の針穴２９Ｃのうち肩ベルト２０の長手方向と直交する方向または斜めに交差する方向に延びている部分も、本開示の「屈曲促進構造」の一具体例に相当する。
【００４４】
縫い目２９は、さらに、第１の縫い目だけでなく、肩ベルト２０の長手方向と平行またはほぼ平行な方向に連続または断続して延びている縫い目（第２の縫い目）を含んで構成されている。第１の縫い目と、第２の縫い目とは、互いに連結されており、第１の縫い目と、第２の縫い目とによって、連続または断続した環形状（例えば四角形状）の縫い目が形成されている。第１の縫い目と、第２の縫い目とによって形成された環形状の縫い目には、環形状に形成されたミシン目状の複数の針穴２９Ａ，２９Ｂ，２９Ｃが含まれている。従って、芯材２１のうち、上述の環形状の縫い目（または環形状に形成されたミシン目状の複数の針穴２９Ｂ）によって囲まれた部分が２次元の凸形状となっている。これにより、裏地材２２にも、芯材２１の２次元の凸形状に倣って２次元の凸形状が形成されている。２次元の凸形状は、肩ベルト２０が肩から滑り落ちるのを防止する滑り止め機能を有している。つまり、裏地材２２は、縫い目２９（または環形状に形成されたミシン目状の複数の針穴２９Ｃ）によって囲まれた部分の２次元の凸形状によって、滑り止め機能を発現している。
【００４５】
[効果]
次に、肩ベルト２０の効果について説明する。
【００４６】
本実施の形態の肩ベルト２０では、芯材２１、裏地材２２および表地材２３の全てに、肩ベルト２０の長手方向と直交する方向または斜めに交差する方向に、連続または断続して延びている複数の屈曲促進構造が設けられている。具体的には、芯材２１、裏地材２２および表地材２３の全てに、複数の第１の縫い目（または、ミシン目状の複数の針穴のうち肩ベルト２０の長手方向と直交する方向または斜めに交差する方向に延びている部分）が設けられている。これにより、肩ベルト２０は屈曲促進構造の設けられている箇所で折れ曲がり易くなっているので、例えば、肩ベルト２０を肩に掛けたときに、肩ベルト２０が屈曲促進構造の設けられている箇所で折れ曲がり、肩や脇腹に沿う方向に変形する。その結果、肩ベルト２０と肩や脇腹との間に隙間ができ難く、荷重の分散化を十分に行うことができる。従って、肩ベルト２０は、屈曲性に優れている。
【００４７】
本実施の形態では、表地材２３に、複数の第１の縫い目（または、ミシン目状の複数の針穴２９Ａのうち肩ベルト２０の長手方向と直交する方向または斜めに交差する方向に延びている部分）が設けられている。これにより、表地材２３が裏地材２２と比べて厚手または硬質となっている場合であっても、肩ベルト２０に優れた屈曲性を持たせることができる。
【００４８】
本実施の形態では、芯材２１の第１の縫い目（複数の針穴２９Ｂ）と、裏地材２２の第１の縫い目（複数の針穴２９Ｃ）と、表地材２３の第１の縫い目（複数の針穴２９Ａ）とが、全体において、互いに重なり合う位置に設けられている。これにより、屈曲の起点が、芯材２１、裏地材２２および表地材２３の全てにおいて、互いに重なり合うので、肩ベルト２０に対して、非常に優れた屈曲性を持たせることができる。
【００４９】
本実施の形態では、裏地材２２に環形状に形成されたミシン目状の複数の針穴２９Ｃが、芯材２１に食い込む態様で、芯材２１に環形状に形成されたミシン目状の複数の針穴２９Ｂと重なり合っている。これにより、裏地材２２のうち、環形状に形成されたミシン目状の複数の針穴２９Ｃで囲まれた部分が凸形状となるので、肩ベルト２０に対して、優れた屈曲性を持たせることができるだけでなく、裏地材２２に滑り止め機能を持たせることができる。
【００５０】
＜２．第１の実施の形態の変形例＞
［変形例その１］
上記実施の形態では、芯材２１、裏地材２２および表地材２３に縫い目２９（もしくは複数の針穴２９Ａ，２９Ｂ，２９Ｃ）が設けられていたが、例えば、図８に示したように、表地材２３から縫い目２９（もしくは複数の針穴２９Ａ）が省略されていてもよい。つまり、本変形例では、芯材２１および裏地材２２に縫い目２９（もしくは複数の針穴２９Ｂ，２９Ｃ）が設けられ、表地材２３には、縫い目２９（もしくは複数の針穴２９Ａ）が設けられていない。本変形例では、芯材２１、裏地材２２および表地材２３に縫い目２９（もしくは複数の針穴２９Ａ，２９Ｂ，２９Ｃ）が設けられていない場合と比べると、肩ベルト２０の屈曲性が向上している。なお、本変形例では、表地材２３の上面には、屈曲促進構造が露出していない。そのため、肩ベルト２０の上面の外観に変化を与えずに、肩ベルト２０の屈曲性を向上させることができる。
【００５１】
［変形例その２］
上記実施の形態では、芯材２１、裏地材２２および表地材２３に縫い目２９（もしくは複数の針穴２９Ａ，２９Ｂ，２９Ｃ）が設けられていたが、例えば、図９に示したように、芯材２１および裏地材２２から縫い目２９（もしくは複数の針穴２９Ｂ，２９Ｃ）が省略されていてもよい。つまり、本変形例では、表地材２３に縫い目２９（もしくは複数の針穴２９Ａ）が設けられ、芯材２１および裏地材２２には、縫い目２９（もしくは複数の針穴２９Ｂ，２９Ｃ）が設けられていない。本変形例では、芯材２１、裏地材２２および表地材２３に縫い目２９（もしくは複数の針穴２９Ａ，２９Ｂ，２９Ｃ）が設けられていない場合と比べると、肩ベルト２０の屈曲性が向上している。また、表地材２３が裏地材２２と比べて厚手または硬質となっている場合であっても、肩ベルト２０に優れた屈曲性を持たせることができる。
【００５２】
［変形例その３］
上記実施の形態では、各縫い目２９が互いに分離して設けられていたが、例えば、図１０に示したように、互いに接して設けられていてもよい。このようにした場合であっても、上記実施の形態と同様の効果が得られる。
【００５３】
本変形例では、２つの縫い目２９において互いに接する部分（第１の縫い目）が１本の縫い目（つまり共通の縫い目）で構成されていてもよいし、互いに並列配置された（または互いに同一線上に配置された）２本の縫い目（つまり別々の縫い目）で構成されていてもよい。２つの縫い目２９において互いに接する部分（第１の縫い目）が２本の縫い目で構成されている場合には、全ての縫い目２９を一筆書きで形成することができる。なお、本変形例では、２つの縫い目２９において互いに接する部分（第１の縫い目）が本開示の「屈曲促進構造」の一具体例に相当する。
【００５４】
［変形例その４］
例えば、図１１、図１２に示したように、上記実施の形態において、芯材２１に対して複数の溝２１Ａが設けられていてもよい。各溝２１Ａは、芯材２１の長手方向および短手方向のうち少なくとも長手方向に延在しており、芯材２１の長手方向および短手方向のうち少なくとも長手方向に芯材２１の屈曲を促す機能を有している。つまり、各溝２１Ａは、本開示の「屈曲促進構造」の一具体例に相当する。複数の溝２１Ａは、芯材２１のうち、肩ベルト２０の背面側に設けられていることが好ましい。このようにした場合には、肩ベルト２０が肩や脇腹に沿って、より屈曲し易くなる。なお、例えば、芯材２１が薄い場合などには、複数の溝２１Ａは、肩ベルト２０の正面側に設けられていてもよい。
【００５５】
各溝２１Ａは、例えば、図１１、図１２に示したように、縫い目２９（もしくは複数の針穴２９Ｂ）を避けるように形成されている。各溝２１Ａは、例えば、互いに隣接する２つの縫い目２９（もしくは複数の針穴２９Ｂ）の間の間隙に形成されている。なお、各溝２１Ａは、例えば、図１３に示したように、縫い目２９（もしくは複数の針穴２９Ｂ）を横断する（またぐ）ように形成されていてもよい。このようにした場合には、溝２１Ａを縫い目２９の第１の縫い目から離すことができるので、芯材２１の耐久性を上げることができる。各溝２１Ａは、芯材２１の幅いっぱいに設けられている。各溝２１Ａは、一本の溝で構成されていてもよいし、複数本の溝を一列に並べた態様で構成されていてもよい。なお、各溝２１Ａが、本開示の「第２の溝」の一具体例に相当する。
【００５６】
本変形例では、芯材２１、裏地材２２および表地材２３の全てに、肩ベルト２０の長手方向と直交する方向または斜めに交差する方向に、連続または断続して延びている複数の第１の縫い目（屈曲促進構造）が設けられている。さらに、芯材２１には、肩ベルト２０の長手方向と直交する方向または斜めに交差する方向に、連続または断続して延びている複数の溝２１Ａ（屈曲促進構造）が設けられている。これにより、肩ベルト２０は屈曲促進構造の設けられている箇所で折れ曲がり易くなっているので、例えば、肩ベルト２０を肩に掛けたときに、肩ベルト２０が屈曲促進構造の設けられている箇所で折れ曲がり、肩や脇腹に沿う方向に変形する。その結果、肩ベルト２０と肩や脇腹との間に隙間ができ難く、荷重の分散化を十分に行うことができる。従って、肩ベルト２０は、屈曲性に優れている。
【００５７】
［変形例その５］
例えば、図１４に示したように、上記変形例その３（例えば図１０）において、芯材２１に対して複数の溝２１Ａが設けられていてもよい。各溝２１Ａは、例えば、縫い目２９（もしくは複数の針穴２９Ｂ）で囲まれた部分を避けるように形成されている。例えば、図１４に示したように、各溝２１Ａは、縫い目２９のうちの第１の縫い目が溝２１Ａの底面に位置するように形成されている。なお、各溝２１Ａは、例えば、図１５に示したように、縫い目２９（もしくは複数の針穴２９Ｂ）で囲まれた部分を横断する（またぐ）ように形成されていてもよい。
【００５８】
本変形例では、芯材２１、裏地材２２および表地材２３の全てに、肩ベルト２０の長手方向と直交する方向または斜めに交差する方向に、連続または断続して延びている複数の第１の縫い目（屈曲促進構造）が設けられている。さらに、芯材２１には、肩ベルト２０の長手方向と直交する方向または斜めに交差する方向に、連続または断続して延びている複数の溝２１Ａ（屈曲促進構造）が設けられている。これにより、肩ベルト２０は屈曲促進構造の設けられている箇所で折れ曲がり易くなっているので、例えば、肩ベルト２０を肩に掛けたときに、肩ベルト２０が屈曲促進構造の設けられている箇所で折れ曲がり、肩や脇腹に沿う方向に変形する。その結果、肩ベルト２０と肩や脇腹との間に隙間ができ難く、荷重の分散化を十分に行うことができる。従って、肩ベルト２０は、屈曲性に優れている。
【００５９】
［変形例その６］
例えば、図１６に示したように、図１２〜図１５に記載の肩ベルト２０において、芯材２１、裏地材２２および表地材２３に設けていた縫い目２９（もしくは複数の針穴２９Ａ，２９Ｂ，２９Ｃ）が省略されていてもよい。つまり、芯材２１だけに、複数の屈曲促進構造（複数の溝２１Ａ）が設けられている。本変形例では、肩ベルト２０に屈曲促進構造を設けなかった場合と比べると、肩ベルト２０の屈曲性が向上している。
【００６０】
［変形例その７］
上記変形例その１〜その６において、芯材２１は、シート状の基材に、複数の屈曲促進構造（縫い目２９もしくは複数の針穴２９Ａ）が設けられた形状となっていることが好ましい。このようにした場合には、芯材２１が、複数の屈曲促進構造が設けられた部分以外の部分において、場所に依らず均一またはほぼ均一な厚さとなっているか、または、芯材２１の幅方向の両端部を除いた部分において、芯材２１の幅方向の両端部の厚さよりも厚くなっている。そのため、縫い目２９もしくは複数の針穴２９Ａによる屈曲性を積極的に阻害する構造が芯材２１には存在しない。その結果、縫い目２９もしくは複数の針穴２９Ａによる屈曲性をより効果的に発現させることができる。
【００６１】
［変形例その８］
上記変形例その３〜その５において、表地材２３の縫い目２９（もしくは複数の針穴２９Ａ）が省略されていてもよい。このときは、芯材２１および裏地材２２に縫い目２９（もしくは複数の針穴２９Ｂ，２９Ｃ）が設けられ、表地材２３には、縫い目２９（もしくは複数の針穴２９Ａ）が設けられていない。また、上記変形例その３〜その５において、芯材２１および裏地材２２の縫い目２９（もしくは複数の針穴２９Ｂ，２９Ｃ）が省略されていてもよい。このときは、表地材２３に縫い目２９（もしくは複数の針穴２９Ａ）が設けられ、芯材２１および裏地材２２には、縫い目２９（もしくは複数の針穴２９Ｂ，２９Ｃ）が設けられていない。
【００６２】
これらの場合においても、芯材２１、裏地材２２および表地材２３に縫い目２９（もしくは複数の針穴２９Ａ，２９Ｂ，２９Ｃ）が設けられていない場合と比べると、肩ベルト２０の屈曲性が向上している。なお、本変形例において、表地材２３の縫い目２９（もしくは複数の針穴２９Ａ）が省略されている場合には、表地材２３の上面には、屈曲促進構造が露出していない。そのため、肩ベルト２０の上面の外観に変化を与えずに、肩ベルト２０の屈曲性を向上させることができる。また、本変形例において、表地材２３に縫い目２９（もしくは複数の針穴２９Ａ）が設けられている場合には、表地材２３が裏地材２２と比べて厚手または硬質となっている場合であっても、肩ベルト２０に優れた屈曲性を持たせることができる。
【００６３】
［変形例その９］
例えば、図１７に示したように、図７、図９、図１２に記載の肩ベルト２０において、表地材２３に対して複数の溝２３Ａが設けられていてもよい。各溝２３Ａは、表地材２３の長手方向および短手方向のうち少なくとも長手方向に延在しており、表地材２３の長手方向および短手方向のうち少なくとも長手方向に表地材２３の屈曲を促す機能を有している。つまり、各溝２３Ａは、本開示の「屈曲促進構造」の一具体例に相当する。
【００６４】
各溝２３Ａは、表地材２３のうち、肩ベルト２０の背面側に設けられていてもよいし、肩ベルト２０の正面側に設けられていてもよい。各溝２３Ａが、表地材２３のうち、肩ベルト２０の背面側に設けられている場合には、各溝２３Ａを外部に露出させずに、表地材２３に屈曲性を持たせることができる。
【００６５】
各溝２３Ａは、例えば、図１７に示したように、縫い目２９（もしくは複数の針穴２９Ａ）を避けるように形成されている。各溝２３Ａは、例えば、互いに隣接する２つの縫い目２９（もしくは複数の針穴２９Ａ）の間の間隙に形成されている。なお、図７、図９、図１３に記載の肩ベルト２０において、各溝２３Ａは、例えば、図１８に示したように、縫い目２９（もしくは複数の針穴２９Ａ）を横断する（またぐ）ように形成されていてもよい。
【００６６】
各溝２３Ａは、表地材２３の幅いっぱいに設けられている。各溝２３Ａは、一本の溝で構成されていてもよいし、複数本の溝を一列に並べた態様で構成されていてもよい。なお、各溝２３Ａが、本開示の「第１の溝」の一具体例に相当する。本変形例では、表地材２３が裏地材２２と比べて厚手または硬質となっている場合であっても、肩ベルト２０に優れた屈曲性を持たせることができる。
【００６７】
本変形例において、溝２３Ａと、溝２１Ａとが、全体または一部において、互いに重なり合う位置に設けられていることが好ましい。このようにした場合には、屈曲の起点が、芯材２１および表地材２３の全体または一部において、互いに重なり合うので、肩ベルト２０に優れた屈曲性を持たせることができる。
【００６８】
［変形例その１０］
例えば、図１９に示したように、図１０、図１４に記載の肩ベルト２０において、表地材２３に対して複数の溝２３Ａが設けられていてもよい。各溝２３Ａは、例えば、図１９に示したように、縫い目２９（もしくは複数の針穴２９Ａ）を避けるように形成されている。各溝２３Ａは、例えば、互いに隣接する２つの縫い目２９（もしくは複数の針穴２９Ａ）の間の間隙に形成されている。なお、例えば、図２０に示したように、図１０、図１５に記載の肩ベルト２０において、各溝２３Ａが、縫い目２９（もしくは複数の針穴２９Ａ）を横断する（またぐ）ように形成されていてもよい。このようにした場合には、溝２３Ａを縫い目２９の第１の縫い目から離すことができるので、表地材２３の耐久性を上げることができる。
【００６９】
本変形例では、表地材２３が裏地材２２と比べて厚手または硬質となっている場合であっても、肩ベルト２０に優れた屈曲性を持たせることができる。本変形例において、溝２３Ａと、溝２１Ａとが、全体または一部において、互いに重なり合う位置に設けられていることが好ましい。このようにした場合には、屈曲の起点が、芯材２１および表地材２３の全体または一部において、互いに重なり合うので、肩ベルト２０に優れた屈曲性を持たせることができる。
【００７０】
［変形例その１１］
また、上記実施の形態、ならびに上記変形例その２、その３、その４、その５において、例えば、図２１に示したように、表地材２３に、縫い目２９（複数の針穴２９Ａ）の代わりに複数の溝２３Ａが設けられていてもよい。各溝２３Ａは、表地材２３のうち、肩ベルト２０の背面側に設けられていてもよいし、肩ベルト２０の正面側に設けられていてもよい。各溝２３Ａが、表地材２３のうち、肩ベルト２０の背面側に設けられている場合には、各溝２３Ａを外部に露出させずに、表地材２３に屈曲性を持たせることができる。本変形例では、表地材２３が裏地材２２と比べて厚手または硬質となっている場合であっても、肩ベルト２０に優れた屈曲性を持たせることができる。
【００７１】
本変形例において、溝２３Ａと、溝２１Ａとが、全体または一部において、互いに重なり合う位置に設けられていることが好ましい。このようにした場合には、屈曲の起点が、芯材２１および表地材２３の全体または一部において、互いに重なり合うので、肩ベルト２０に優れた屈曲性を持たせることができる。
【００７２】
［変形例その１２］
例えば、図２２に示したように、芯材２１にミシン目状の複数の針穴２９Ｄが設けられ、裏地材２２にミシン目状の複数の針穴２９Ｅが設けられ、さらに、表地材２３にミシン目状の複数の針穴２９Ｆが設けられていてもよい。ミシン目状の複数の針穴２９Ｄは、本開示の「屈曲促進構造」の一具体例に相当する。ミシン目状の複数の針穴２９Ｅも、本開示の「屈曲促進構造」の一具体例に相当する。ミシン目状の複数の針穴２９Ｆも、本開示の「屈曲促進構造」の一具体例に相当する。
【００７３】
ミシン目状の複数の針穴２９Ｄは、芯材２１の幅いっぱいに設けられている。ミシン目状の複数の針穴２９Ｅも、裏地材２２の幅いっぱいに設けられている。ミシン目状の複数の針穴２９Ｆも、表地材２３の幅いっぱいに設けられている。本変形例では、表地材２３が裏地材２２と比べて厚手または硬質となっている場合であっても、肩ベルト２０に優れた屈曲性を持たせることができる。
【００７４】
本変形例において、ミシン目状の複数の針穴２９Ｄと、ミシン目状の複数の針穴２９Ｅと、ミシン目状の複数の針穴２９Ｆとが、全体または一部において、互いに重なり合う位置に設けられていることが好ましい。このようにした場合には、屈曲の起点が、芯材２１、裏地材２２および表地材２３の全体または一部において、互いに重なり合うので、肩ベルト２０に優れた屈曲性を持たせることができる。なお、ミシン目状の複数の針穴２９Ｄと、ミシン目状の複数の針穴２９Ｅと、ミシン目状の複数の針穴２９Ｆとが、互いに対向しないように配置されていてもよい。このようにした場合には、屈曲の起点が、肩ベルト２０に多数、形成されるので、肩ベルト２０をより滑らかに屈曲させることができる。
【００７５】
ミシン目状の複数の針穴２９Ｄ，２９Ｅ，２９Ｆは、例えば、芯材２１、裏地材２２および表地材２３を互いに重ね合わせた状態で縫製することにより形成することが可能である。このようにしてミシン目状の複数の針穴２９Ｄ，２９Ｅ，２９Ｆが形成されている場合、ミシン目状の複数の針穴２９Ｄ，２９Ｅ，２９Ｆは、芯材２１、裏地材２２および表地材２３を互いに重ね合わせた状態で縫製することにより形成された共通の縫い目（図示せず）に含まれている。本変形例では、肩ベルト２０に対して、非常に優れた屈曲性を持たせることができる。
【００７６】
［変形例その１３］
上記変形例その１２において、ミシン目状の複数の針穴２９Ｆが省略されていてもよい。このときは、芯材２１および裏地材２２に、ミシン目状の複数の針穴２９Ｄ，２９Ｅが設けられ、表地材２３には、ミシン目状の複数の針穴２９Ｆが設けられていない。また、上記変形例その１２において、ミシン目状の複数の針穴２９Ｄ，２９Ｅが省略されていてもよい。このときは、表地材２３に、ミシン目状の複数の針穴２９Ｆが設けられ、芯材２１および裏地材２２には、ミシン目状の複数の針穴２９Ｄ，２９Ｅが設けられていない。また、上記変形例その１２において、ミシン目状の複数の針穴２９Ｅ，２９Ｆが省略されていてもよい。このときは、芯材２１に、ミシン目状の複数の針穴２９Ｄが設けられ、裏地材２２および表地材２３には、ミシン目状の複数の針穴２９Ｅ，２９Ｆが設けられていない。
【００７７】
これらの場合においても、芯材２１、裏地材２２および表地材２３に、ミシン目状の複数の針穴２９Ｄ，２９Ｅ，２９Ｆが設けられていない場合と比べると、肩ベルト２０の屈曲性が向上している。なお、本変形例において、ミシン目状の複数の針穴２９Ｆが省略されている場合には、表地材２３の上面には、屈曲促進構造が露出していない。そのため、肩ベルト２０の上面の外観に変化を与えずに、肩ベルト２０の屈曲性を向上させることができる。また、本変形例において、表地材２３に、ミシン目状の複数の針穴２９Ｆが設けられている場合には、表地材２３が裏地材２２と比べて厚手または硬質となっている場合であっても、肩ベルト２０に優れた屈曲性を持たせることができる。
【００７８】
［変形例その１４］
また、例えば、図２３に示したように、図２２に記載の肩ベルト２０において、表地材２３に、ミシン目状の複数の針穴２９Ｆの代わりに複数の溝２３Ａが設けられていてもよい。各溝２３Ａは、表地材２３のうち、肩ベルト２０の背面側に設けられていてもよいし、肩ベルト２０の正面側に設けられていてもよい。各溝２３Ａが、表地材２３のうち、肩ベルト２０の背面側に設けられている場合には、各溝２３Ａを外部に露出させずに、表地材２３に屈曲性を持たせることができる。本変形例では、表地材２３が裏地材２２と比べて厚手または硬質となっている場合であっても、肩ベルト２０に優れた屈曲性を持たせることができる。
【００７９】
本変形例において、溝２３Ａと、ミシン目状の複数の針穴２９Ｄと、ミシン目状の複数の針穴２９Ｅが、全体または一部において、互いに重なり合う位置に設けられていることが好ましい。このようにした場合には、屈曲の起点が、芯材２１、裏地材２２および表地材２３の全体または一部において、互いに重なり合うので、肩ベルト２０に優れた屈曲性を持たせることができる。
【００８０】
なお、図２４、図２５に、上記した各変形例の構成を表にまとめた。図２４、図２５において、「２９Ａ連」、「２９Ｂ連」、「２９Ｃ連」とは、各縫い目２９が互いに接して設けられていることを示している。また、「２１Ａ避」とは、各溝２１Ａが縫い目２９（もしくは複数の針穴２９Ｂ）を避けるように形成されていることを示している。「２１Ａ避の位置」とは、各溝２１Ａが縫い目２９（もしくは複数の針穴２９Ｂ）を避けるように形成されているときと同じ位置に配置されていることを示している。また、「２１Ａ重」とは、各溝２１Ａが縫い目２９（もしくは複数の針穴２９Ｂ）を横断する（またぐ）ように形成されていることを示している。「２１Ａ重の位置」とは、各溝２１Ａが縫い目２９（もしくは複数の針穴２９Ｂ）を横断する（またぐ）ように形成されているときと同じ位置に配置されていることを示している。また、「２３Ａ避」とは、各溝２３Ａが縫い目２９（もしくは複数の針穴２９Ａ）を避けるように形成されていることを示している。また、「２３Ａ重」とは、各溝２３Ａが縫い目２９（もしくは複数の針穴２９Ａ）を横断する（またぐ）ように形成されていることを示している。
【００８１】
［変形例その１５］
例えば、図２６（Ａ）に示したように、上記実施の形態およびその変形例（その１〜その１４）において、複数の溝２１Ａが芯材２１の幅方向の一方の端部を除いた領域だけに設けられていてもよい。また、例えば、図２６（Ｂ）に示したように、上記実施の形態およびその変形例（その１〜その１４）において、複数の針穴２９Ｄが芯材２１の幅方向の一方の端部を除いた領域だけに設けられていてもよい。本変形例では、各溝２１Ａまたは各針穴２９Ｄが芯材２１の幅いっぱいに設けられている場合と同様に、肩ベルト２０に対して、優れた屈曲性を持たせることができる。
【００８２】
［変形例その１６］
例えば、図２６（Ａ）または図２６（Ｂ）に記載した芯材２１を含む肩ベルト２０において、溝２１Ａまたは針穴２９Ｄに代えて、一列に並んだ複数の窪み（図示せず）が芯材２１の幅方向の一方の端部を除いた領域だけに設けられていてもよい。また、例えば、図２６（Ａ）または図２６（Ｂ）に記載の肩ベルト２０において、溝２１Ａまたは針穴２９Ｄに代えて、切り欠き（図示せず）が芯材２１の幅方向の一方の端部を除いた領域だけに設けられていてもよい。ここで、一列に並んだ複数の窪み、および切り欠きは、芯材２１の長手方向および短手方向のうち少なくとも長手方向に延在しており、芯材２１の長手方向および短手方向のうち少なくとも長手方向に芯材２１の屈曲を促す機能を有している。つまり、一列に並んだ複数の窪み、および切り欠きは、本開示の「屈曲促進構造」の一具体例に相当する。本変形例では、溝２１Ａまたは針穴２９Ｄが芯材２１の幅方向の一方の端部を除いた領域だけに設けられている場合と同様に、肩ベルト２０に対して、優れた屈曲性を持たせることができる。
【００８３】
なお、以下の変形例において、「一列に並んだ複数の窪み」、「切り欠き」は、肩ベルト２０の長手方向および短手方向のうち少なくとも長手方向に延在しており、肩ベルト２０の長手方向および短手方向のうち少なくとも長手方向に肩ベルト２０の屈曲を促す機能を有している。
【００８４】
［変形例その１７］
また、例えば、図２７（Ａ）に示したように、上記実施の形態およびその変形例（その１〜その１４）において、複数の溝２１Ａが芯材２１の幅方向の両端部を除いた領域だけに設けられていてもよい。また、例えば、図２７（Ｂ）に示したように、上記実施の形態およびその変形例（その１〜その１４）において、複数の針穴２９Ｄが芯材２１の幅方向の両端部を除いた領域だけに設けられていてもよい。これらの場合においても、各溝２１Ａまたは各針穴２９Ｄが芯材２１の幅いっぱいに設けられている場合と同様に、肩ベルト２０に対して、優れた屈曲性を持たせることができる。
【００８５】
［変形例その１８］
また、例えば、図２７（Ａ）または図２７（Ｂ）に記載した芯材２１を含む肩ベルト２０において、溝２１Ａまたは針穴２９Ｄに代えて、一列に並んだ複数の窪み（図示せず）が芯材２１の幅方向の両端部を除いた領域だけに設けられていてもよい。また、例えば、図２７（Ａ）または図２７（Ｂ）に記載の肩ベルト２０において、溝２１Ａまたは針穴２９Ｄに代えて、１または複数の開口（図示せず）が芯材２１の幅方向の両端部を除いた領域だけに設けられていてもよい。ここで、一列に並んだ複数の窪み、および１または複数の開口は、芯材２１の長手方向および短手方向のうち少なくとも長手方向に延在しており、芯材２１の長手方向および短手方向のうち少なくとも長手方向に芯材２１の屈曲を促す機能を有している。つまり、一列に並んだ複数の窪み、および１または複数の開口は、本開示の「屈曲促進構造」の一具体例に相当する。本変形例では、溝２１Ａまたは針穴２９Ｄが芯材２１の幅方向の両端部を除いた領域だけに設けられている場合と同様に、肩ベルト２０に対して、優れた屈曲性を持たせることができる。
【００８６】
なお、以下の変形例において、「１または複数の開口」は、肩ベルト２０の長手方向および短手方向のうち少なくとも長手方向に延在しており、肩ベルト２０の長手方向および短手方向のうち少なくとも長手方向に肩ベルト２０の屈曲を促す機能を有している。
【００８７】
［変形例その１９］
また、例えば、図２８（Ａ）に示したように、上記実施の形態およびその変形例（その１〜その１４）において、複数の溝２１Ａが芯材２１の延在方向に、１個ずつまたは複数個ずつ、互い違いに設けられていてもよい。また、例えば、図２８（Ｂ）に示したように、上記実施の形態およびその変形例（その１〜その１４）において、複数の針穴２９Ｄが芯材２１の延在方向に、１個ずつまたは複数個ずつ、互い違いに設けられていてもよい。これらの場合においても、各溝２１Ａまたは各針穴２９Ｄが芯材２１の幅いっぱいに設けられている場合と同様に、肩ベルト２０に対して、優れた屈曲性を持たせることができる。
【００８８】
［変形例その２０］
また、例えば、図２８（Ａ）または図２８（Ｂ）に記載した芯材２１を含む肩ベルト２０において、溝２１Ａまたは針穴２９Ｄに代えて、一列に並んだ複数の窪み（図示せず）が芯材２１の延在方向に、１個ずつまたは複数個ずつ、互い違いに設けられていてもよい。また、例えば、図２８（Ａ）または図２８（Ｂ）に記載の肩ベルト２０において、溝２１Ａまたは針穴２９Ｄに代えて、切り欠き（図示せず）が芯材２１の延在方向に、１個ずつまたは複数個ずつ、互い違いに設けられていてもよい。本変形例では、溝２１Ａまたは針穴２９Ｄが芯材２１の延在方向に、１個ずつまたは複数個ずつ、互い違いに設けられている場合と同様に、肩ベルト２０に対して、優れた屈曲性を持たせることができる。
【００８９】
［変形例その２１］
また、例えば、図２９に示したように、上記実施の形態およびその変形例（その１〜その１４）において、複数の針穴２９Ｅが芯材２１の幅方向の一方の端部を除いた領域だけに設けられていてもよい。本変形例では、複数の針穴２９Ｅが裏地材２２の幅いっぱいに設けられている場合と同様に、肩ベルト２０に対して、優れた屈曲性を持たせることができる。
【００９０】
［変形例その２２］
また、例えば、図２９に記載した裏地材２２を含む肩ベルト２０において、針穴２９Ｅに代えて、一列に並んだ複数の窪み（図示せず）が裏地材２２の幅方向の一方の端部を除いた領域だけに設けられていてもよい。また、例えば、図２９に記載した裏地材２２を含む肩ベルト２０において、針穴２９Ｅに代えて、切り欠き（図示せず）が裏地材２２の幅方向の一方の端部を除いた領域だけに設けられていてもよい。本変形例では、針穴２９Ｅが裏地材２２の幅方向の一方の端部を除いた領域だけに設けられている場合と同様に、肩ベルト２０に対して、優れた屈曲性を持たせることができる。
【００９１】
［変形例その２３］
また、例えば、図３０に示したように、上記実施の形態およびその変形例（その１〜その１４）において、複数の針穴２９Ｅが裏地材２２の幅方向の両端部を除いた領域だけに設けられていてもよい。この場合においても、複数の針穴２９Ｅが裏地材２２の幅いっぱいに設けられている場合と同様に、肩ベルト２０に対して、優れた屈曲性を持たせることができる。
【００９２】
［変形例その２４］
また、例えば、図３０に記載した裏地材２２を含む肩ベルト２０において、針穴２９Ｅに代えて、一列に並んだ複数の窪み（図示せず）が裏地材２２の幅方向の両端部を除いた領域だけに設けられていてもよい。また、例えば、図３０に記載した裏地材２２を含む肩ベルト２０において、針穴２９Ｅに代えて、１または複数の開口（図示せず）が裏地材２２の幅方向の両端部を除いた領域だけに設けられていてもよい。本変形例では、針穴２９Ｅが芯材２１の幅方向の両端部を除いた領域だけに設けられている場合と同様に、肩ベルト２０に対して、優れた屈曲性を持たせることができる。
【００９３】
［変形例その２５］
また、例えば、図３１に示したように、上記実施の形態およびその変形例（その１〜その１４）において、複数の針穴２９Ｅが裏地材２２の延在方向に、１個ずつまたは複数個ずつ、互い違いに設けられていてもよい。本変形例では、各溝２１Ａまたは各針穴２９Ｄが芯材２１の幅いっぱいに設けられている場合と同様に、肩ベルト２０に対して、優れた屈曲性を持たせることができる。
【００９４】
［変形例その２６］
また、例えば、図３１に記載した裏地材２２を含む肩ベルト２０において、針穴２９Ｅに代えて、一列に並んだ複数の窪み（図示せず）が裏地材２２の延在方向に、１個ずつまたは複数個ずつ、互い違いに設けられていてもよい。本変形例では、針穴２９Ｅが裏地材２２の延在方向に、１個ずつまたは複数個ずつ、互い違いに設けられている場合と同様に、肩ベルト２０に対して、優れた屈曲性を持たせることができる。
【００９５】
［変形例その２７］
また、例えば、図３２（Ａ）に示したように、上記実施の形態およびその変形例（その１〜その２６）において、複数の溝２３Ａが表地材２３の幅方向の一方の端部を除いた領域だけに設けられていてもよい。また、例えば、図３２（Ｂ）に示したように、上記実施の形態およびその変形例（その１〜その２６）において、複数の針穴２９Ｆが表地材２３の幅方向の一方の端部を除いた領域だけに設けられていてもよい。本変形例では、複数の溝２３Ａまたは複数の針穴２９Ｆが表地材２３の幅いっぱいに設けられている場合と同様に、肩ベルト２０に対して、優れた屈曲性を持たせることができる。
【００９６】
［変形例その２８］
また、例えば、図３２（Ａ）または図３２（Ｂ）に記載した表地材２３を含む肩ベルト２０において、溝２３Ａまたは針穴２９Ｆに代えて、一列に並んだ複数の窪み（図示せず）が表地材２３の幅方向の一方の端部を除いた領域だけに設けられていてもよい。また、例えば、図３２（Ａ）または図３２（Ｂ）に記載した表地材２３を含む肩ベルト２０において、溝２３Ａまたは針穴２９Ｆに代えて、切り欠き（図示せず）が表地材２３の幅方向の一方の端部を除いた領域だけに設けられていてもよい。本変形例では、溝２３Ａまたは針穴２９Ｆが表地材２３の幅方向の一方の端部を除いた領域だけに設けられている場合と同様に、肩ベルト２０に対して、優れた屈曲性を持たせることができる。
【００９７】
［変形例その２９］
また、例えば、図３３（Ａ）に示したように、上記実施の形態およびその変形例（その１〜その２６）において、複数の溝２３Ａが表地材２３の幅方向の両端部を除いた領域だけに設けられていてもよい。また、例えば、図３４（Ｂ）に示したように、上記実施の形態およびその変形例（その１〜その２６）において、複数の針穴２９Ｆが表地材２３の幅方向の両端部を除いた領域だけに設けられていてもよい。本変形例では、複数の溝２３Ａまたは複数の針穴２９Ｆが表地材２３の幅いっぱいに設けられている場合と同様に、肩ベルト２０に対して、優れた屈曲性を持たせることができる。
【００９８】
［変形例その３０］
また、例えば、図３４（Ａ）または図３４（Ｂ）に記載した表地材２３を含む肩ベルト２０において、溝２３Ａまたは針穴２９Ｆに代えて、一列に並んだ複数の窪み（図示せず）が表地材２３の幅方向の両端部を除いた領域だけに設けられていてもよい。また、例えば、図３４（Ａ）または図３４（Ｂ）に記載した表地材２３を含む肩ベルト２０において、溝２３Ａまたは針穴２９Ｆに代えて、１または複数の開口（図示せず）が表地材２３の幅方向の両端部を除いた領域だけに設けられていてもよい。本変形例では、溝２３Ａまたは針穴２９Ｆが表地材２３の幅方向の両端部を除いた領域だけに設けられている場合と同様に、肩ベルト２０に対して、優れた屈曲性を持たせることができる。
【００９９】
［変形例その３１］
また、例えば、図３４（Ａ）に示したように、上記実施の形態およびその変形例（その１〜その２６）において、複数の溝２３Ａが表地材２３の延在方向に、１個ずつまたは複数個ずつ、互い違いに設けられていてもよい。また、例えば、図３４（Ｂ）に示したように、上記実施の形態およびその変形例（その１〜その２６）において、複数の針穴２９Ｆが表地材２３の延在方向に、１個ずつまたは複数個ずつ、互い違いに設けられていてもよい。本変形例では、溝２３Ａまたは針穴２９Ｆが芯材２１の幅いっぱいに設けられている場合と同様に、肩ベルト２０に対して、優れた屈曲性を持たせることができる。
【０１００】
［変形例その３２］
また、例えば、図３４（Ａ）または図３４（Ｂ）に記載した表地材２３を含む肩ベルト２０において、溝２３Ａまたは針穴２９Ｆに代えて、一列に並んだ複数の窪み（図示せず）が表地材２３の延在方向に、１個ずつまたは複数個ずつ、互い違いに設けられていてもよい。また、例えば、図３４（Ａ）または図３４（Ｂ）に記載した表地材２３を含む肩ベルト２０において、溝２３Ａまたは針穴２９Ｆに代えて、切り欠き（図示せず）が表地材２３の延在方向に、１個ずつまたは複数個ずつ、互い違いに設けられていてもよい。本変形例では、溝２３Ａまたは針穴２９Ｆが表地材２３の延在方向に、１個ずつまたは複数個ずつ、互い違いに設けられている場合と同様に、肩ベルト２０に対して、優れた屈曲性を持たせることができる。
【０１０１】
［変形例その３３］
また、例えば、図３５に示したように、図１０、図１４、図１５、図１９、図２０の肩ベルト２０において、縫い目２９のうちの第２の縫い目が、縫い目２８と兼用されていてもよい。このようにした場合には、肩ベルト２０の縫い目の量を最小限に抑えつつ、肩ベルト２０に対して、優れた屈曲性（場合によっては更に滑り止め機能）を持たせることができる。また、例えば、図３６に示したように、図２７、図３０、図３３（Ｂ）の肩ベルト２０において、縫い目２９（ミシン目状の複数の針穴２９Ｄ，２９Ｅ，２９Ｆ）の両端部が、縫い目２８に接していてもよい。このようにした場合にも、肩ベルト２０の縫い目を最小限に抑えつつ、肩ベルト２０に対して、優れた屈曲性（場合によっては更に滑り止め機能）を持たせることができる。
【０１０２】
［変形例その３４］
また、例えば、図３７に示したように、表地材２３と裏地材２２とが一体になっていてもよい。このとき、例えば、図３７に示したように、２枚の基材を重ね合わせて表地材２３を構成した場合には、表地材２３を裏地材２２よりも厚手または硬質にすることができる。また、本変形例において、裏地材２２が、芯材２１の背面と、芯材２１の一方の側面を覆い、芯材２１の他方の側面（端部２１Ｂ）を覆っていなくてもよい。このようにした場合には、芯材２１の他方の側面（端部２１Ｂ）が外部に露出する。このとき、さらに、例えば、図３７に示したように、芯材２１の他方の側面（端部２１Ｂ）が肩ベルト２０の側面に突出している場合には、周囲の人が芯材２１の露出部分（端部２１Ｂ）を視認することが可能となる。ここで、芯材２１が光を反射する反射材で構成されている場合には、周囲の人は、夕方や夜間に、芯材２１の露出部分（端部２１Ｂ）による光反射により、学童の存在を認識することができる。なお、裏地材２２は、例えば、図５に示した肩ベルト２０において、芯材２１の背面だけを覆うように設けられていてもよい。この場合には、芯材２１の両側面が外部に露出する。また、裏地材２２は、例えば、図５に示した肩ベルト２０において、芯材２１の背面および一方の側面だけを覆うように設けられていてもよい。この場合には、芯材２１の他方の側面が外部に露出することになる。また、裏地材２２は、例えば、図５に示した肩ベルト２０において、芯材２１の背面だけを覆うように設けられていてもよい。この場合には、芯材２１の両側面が外部に露出することになる。これらのように、芯材２１の側面が外部に露出する場合に、芯材２１の側面（端部）が肩ベルト２０の側面に突出しているときには、周囲の人が芯材２１の露出部分（端部）を視認することが可能となる。ここで、芯材２１が光を反射する反射材で構成されている場合には、周囲の人は、夕方や夜間に、芯材２１の露出部分（端部）による光反射により、学童の存在を認識することができる。
【０１０３】
［変形例その３５］
また、例えば、図３８、図３９に示したように、芯材２１と、裏地材２２の上面との間に、補助芯材２１Ｃが設けられていてもよい。補助芯材２１Ｃは、肩ベルト２０の背面側に、高い凹凸を発生させるためのものであり、例えば、クッション性を有する材料で構成されていてもよい。
【０１０４】
［変形例その３６］
また、例えば、図４０に示したように、溝２１Ａおよび溝２３Ａの延在方向が、補助材２４側から補助材２５側に向かうにつれて、連続して、またはステップ状に変化していてもよい。例えば、左側肩ベルト２０Ｂでは、溝２１Ａおよび溝２３Ａの延在方向が、補助材２４側から補助材２５側に向かうにつれて、正面から見たときの反時計回り方向に変化していてもよい。また、例えば、右側肩ベルト２０Ａでは、溝２１Ａおよび溝２３Ａの延在方向が、補助材２４側から補助材２５側に向かうにつれて、正面から見たときの時計回り方向に変化していてもよい。このようにした場合には、例えば、肩ベルト２０を肩に掛けたときに、肩ベルト２０と肩や脇腹との間に隙間ができ難く、荷重の分散化を十分に行うことができる。従って、肩ベルト２０は、屈曲性に優れている。
【０１０５】
同様に、例えば、図４１に示したように、縫い目２９のうちの第１の縫い目（複数の針穴２９Ａ，２９Ｂ，２９Ｃ）の延在方向が、補助材２４側から補助材２５側に向かうにつれて、連続して、またはステップ状に変化していてもよい。例えば、左側肩ベルト２０Ｂでは、縫い目２９のうちの第１の縫い目（複数の針穴２９Ａ，２９Ｂ，２９Ｃ）の延在方向が、補助材２４側から補助材２５側に向かうにつれて、正面から見たときの反時計回り方向に変化していてもよい。また、例えば、右側肩ベルト２０Ａでは、縫い目２９のうちの第１の縫い目（複数の針穴２９Ａ，２９Ｂ，２９Ｃ）の延在方向が、補助材２４側から補助材２５側に向かうにつれて、正面から見たときの時計回り方向に変化していてもよい。このようにした場合には、例えば、肩ベルト２０を肩に掛けたときに、肩ベルト２０と肩や脇腹との間に隙間ができ難く、荷重の分散化を十分に行うことができる。従って、肩ベルト２０は、屈曲性に優れている。
【０１０６】
同様に、例えば、図４２に示したように、ミシン目状の複数の針穴２９Ｄ，２９Ｅ，２９Ｆの延在方向が、補助材２４側から補助材２５側に向かうにつれて、連続して、またはステップ状に変化していてもよい。例えば、左側肩ベルト２０Ｂでは、ミシン目状の複数の針穴２９Ｄ，２９Ｅ，２９Ｆの延在方向が、補助材２４側から補助材２５側に向かうにつれて、正面から見たときの反時計回り方向に変化していてもよい。また、例えば、右側肩ベルト２０Ａでは、ミシン目状の複数の針穴２９Ｄ，２９Ｅ，２９Ｆの延在方向が、補助材２４側から補助材２５側に向かうにつれて、正面から見たときの時計回り方向に変化していてもよい。このようにした場合には、例えば、肩ベルト２０を肩に掛けたときに、肩ベルト２０と肩や脇腹との間に隙間ができ難く、荷重の分散化を十分に行うことができる。従って、肩ベルト２０は、屈曲性に優れている。
【０１０７】
＜３．第２の実施の形態＞
図４３は、本開示の第２の実施の形態に係る装着器具２の斜視構成の一例を表したものである。装着器具２は、例えば、一対の肩ベルト２０と、一対の接続ベルト３０と、連結部４０とを備えている。連結部４０は、一対の肩ベルト２０を保持している。連結部４０の一端が一方の肩ベルト２０の一端および一方の接続ベルト３０の一端に接続されている。連結部４０の他端が他方の肩ベルト２０の一端および他方の接続ベルト３０の一端に接続されている。装着器具２は、例えば、鎖骨を骨折した患者に対するギブスとして機能する。
【０１０８】
本実施の形態の肩ベルト２０は、上述の第１の実施の形態およびその変形例に記載の肩ベルト２０と同様の屈曲促進構造を採り得る。従って、本実施の形態の肩ベルト２０は、上述の第１の実施の形態およびその変形例に記載の肩ベルト２０と同様に、屈曲性に優れている。
【０１０９】
＜４．第３の実施の形態＞
図４４は、本開示の第３の実施の形態に係る手提げ鞄３の斜視構成の一例を表したものである。手提げ鞄３は、上端に開口を有する収納部５０と、収納部５０の上端に固定された一対の持ち手６０とを備えている。
【０１１０】
持ち手６０は、手提げ鞄３を手で持つためのものであり、帯状の形状となっている。持ち手６０の一端は、収納部５０の上端に固定されており、持ち手６０の他端も、収納部５０の上端に固定されている。従って、持ち手６０は、Ｕ字型となっている。持ち手６０の両端は、例えば、図４４に示したように、収納部５０の内面に固定されている。このとき、持ち手６０は、表地材２３の正面と収容部５０の内面とが互いに接することにより、収納部５０に固定されている。なお、例えば、図４５に示したように、持ち手６０の両端が、収納部５０の外面に固定されていてもよい。このとき、持ち手６０は、裏地材２２の背面と収容部５０の外面とが互いに接することにより、収納部５０に固定されている。
【０１１１】
図４６は、一対の持ち手６０の正面構成例を表したものである。図４６の左側の持ち手６０が、使用者から見て左側の持ち手（左側持ち手６０Ａ）であり、図４６の右側の持ち手６０が、使用者から見て右側の持ち手（右側持ち手６０Ｂ）である。左側持ち手６０Ａおよび右側持ち手６０Ｂは、ともに、帯状に延在している。左側持ち手６０Ａと、右側持ち手６０Ｂとでは、正面から見たときの平面構成が左右対称となっており、厚さ方向（図４６の紙面の法線方向）の構成が互いに共通している。そこで、以下では、左側持ち手６０Ａおよび右側持ち手６０Ｂの共通事項の説明においては、左側持ち手６０Ａまたは右側持ち手６０Ｂの代わりに、持ち手６０を適宜、用いるものとする。また、図面には、左側持ち手６０Ａの構成だけを示すものとする。
【０１１２】
図４７は、図４６に記載の左側持ち手６０Ａの一部を拡大して表したものである。図４７は、図４６に記載の左側持ち手６０ＡのＡ−Ａ矢視方向の断面構成例を表したものである。図４８は、図４６に記載の左側持ち手６０ＡのＢ−Ｂ矢視方向の断面構成例を表したものである。
【０１１３】
左側持ち手６０Ａ（以下、便宜的に「持ち手６０」と称する。）は、例えば、図４７、図４８に示したように、帯状の芯材２１、帯状の裏地材２２および帯状の表地材２３を含む積層体を有している。裏地材２２および表地材２３は、芯材２１の延在方向に延在している。例えば、図４７に示したように、表地材２３と裏地材２２とが一体になっている。表地材２３は、例えば、２枚の基材を重ね合わせた構成となっている。また、裏地材２２は、芯材２１を介して２枚の基材を重ね合わせた構成となっている。芯材２１は、クッション性を有していてもよいし、クッション性を有していなくてもよい。表地材２３および裏地材２２は、例えば、皮革で構成されている。なお、芯材２１がクッション性を有しない材料またはクッション性の弱い材料で構成されている場合には、表地材２３および裏地材２２が、クッション性を有するもので構成されていてもよい。
【０１１４】
本実施の形態の持ち手６０は、上述の第１の実施の形態およびその変形例に記載の肩ベルト２０と同様の屈曲促進構造を採り得る。従って、本実施の形態の持ち手６０は、上述の第１の実施の形態およびその変形例に記載の肩ベルト２０と同様に、屈曲性に優れている。
【０１１５】
本実施の形態において、例えば、図４９に示したように、溝２１Ａおよび溝２３Ａの延在方向が、持ち手６０の一端側から他端側に向かうにつれて、連続して、またはステップ状に変化している。例えば、左側持ち手６０Ａでは、溝２１Ａおよび溝２３Ａの延在方向が、持ち手６０の一端側から他端側に向かうにつれて、正面から見たときの時計回り方向に変化していてもよい。また、例えば、右側持ち手６０Ｂでは、溝２１Ａおよび溝２３Ａの延在方向が、持ち手６０の一端側から他端側に向かうにつれて、正面から見たときの反時計回り方向に変化していてもよい。このようにした場合には、例えば、一対の持ち手６０を手で持ったときに、持ち手６０と手との間に隙間ができ難く、荷重の分散化を十分に行うことができる。従って、持ち手６０は、屈曲性に優れている。
【０１１６】
同様に、例えば、図５０に示したように、縫い目２９のうちの第１の縫い目（複数の針穴２９Ａ，２９Ｂ，２９Ｃ）の延在方向が、持ち手６０の一端側から他端側に向かうにつれて、連続して、またはステップ状に変化していてもよい。例えば、左側持ち手６０Ａでは、縫い目２９のうちの第１の縫い目（複数の針穴２９Ａ，２９Ｂ，２９Ｃ）の延在方向が、持ち手６０の一端側から他端側に向かうにつれて、正面から見たときの時計回り方向に変化していてもよい。また、例えば、右側持ち手６０Ｂでは、縫い目２９のうちの第１の縫い目（複数の針穴２９Ａ，２９Ｂ，２９Ｃ）の延在方向が、持ち手６０の一端側から他端側に向かうにつれて、正面から見たときの反時計回り方向に変化していてもよい。このようにした場合には、例えば、一対の持ち手６０を手で持ったときに、持ち手６０と手との間に隙間ができ難く、荷重の分散化を十分に行うことができる。従って、持ち手６０は、屈曲性に優れている。
【０１１７】
同様に、例えば、図５１に示したように、ミシン目状の複数の針穴２９Ｄ，２９Ｅ，２９Ｆの延在方向が、持ち手６０の一端側から他端側に向かうにつれて、連続して、またはステップ状に変化していてもよい。例えば、左側持ち手６０Ａでは、ミシン目状の複数の針穴２９Ｄ，２９Ｅ，２９Ｆの延在方向が、持ち手６０の一端側から他端側に向かうにつれて、正面から見たときの時計回り方向に変化していてもよい。また、例えば、右側持ち手６０Ｂでは、ミシン目状の複数の針穴２９Ｄ，２９Ｅ，２９Ｆの延在方向が、持ち手６０の一端側から他端側に向かうにつれて、正面から見たときの反時計回り方向に変化していてもよい。このようにした場合には、例えば、一対の持ち手６０を手で持ったときに、持ち手６０と手との間に隙間ができ難く、荷重の分散化を十分に行うことができる。従って、持ち手６０は、屈曲性に優れている。
【０１１８】
なお、上記各実施の形態およびその変形例において、「屈曲促進構造」とは、まっすぐに延びた帯状の部材の屈曲を促す構造である。従って、帯状の部材を屈曲させたときに形成される裏地材のシワは、帯状の部材をまっすぐに延ばしたときに消失してしまうので、「屈曲促進構造」とは言えない。また、帯状の部材の上面または裏面に、例えば、樹脂などでできた方形状のブロックが所定の間隔で並べられたもの（以下、「ブロック構造体」と称する。）が付加されている物を想定する。帯状の部材の上面または裏面にブロック構造体が付加されている場合には、帯状の部材の上面または裏面にブロック構造体が付加されていない場合と比べて、ブロック構造体による補強効果によって、帯状の部材の屈曲性が低下する。従って、ブロック構造体内のブロック同士の間隙は、「屈曲促進構造」とは言えない。つまり、上記各実施の形態およびその変形例における「屈曲促進構造」とは、帯状の部材の両端を支持するとともに帯状の部材をまっすぐに延ばした状態で、帯状の部材の一端を開放したときに、まっすぐに延びた帯状の部材に「屈曲促進構造」が設けられている場合の方が、まっすぐに延びた帯状の部材に「屈曲促進構造」が設けられていない場と比べて、帯状の部材をより湾曲させる構造を指している。
【０１１９】
本技術は、例えば、以下のような構成を取ることができる。
（１）
帯状の芯材と、
前記芯材の正面側に設けられた帯状の表地材と、
前記芯材の背面側に設けられた帯状の裏地材と
を備え、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
肩ベルト。
（２）
前記複数の屈曲促進構造のうち全部または一部の屈曲促進構造は、前記表地材に設けられ、かつミシン目状の複数の針穴、複数の窪み、または１もしくは複数の第１の溝を含んで構成されている
（１）に記載の肩ベルト。
（３）
前記表地材は、前記裏地材と比べて厚手または硬質である
（２）に記載の肩ベルト。
（４）
前記複数の屈曲促進構造は、少なくとも前記芯材および前記表地材に設けられ、
前記芯材に設けられた複数の屈曲促進構造は、ミシン目状の複数の針穴、複数の窪み、１もしくは複数の第２の溝、１もしくは複数の開口、または切り欠きを含んで構成されている
（１）ないし（３）のいずれか一項に記載の肩ベルト。
（５）
前記複数の屈曲促進構造は、少なくとも前記芯材および前記表地材に設けられ、
前記芯材に設けられた複数の屈曲促進構造と、前記表地材に設けられた複数の屈曲促進構造とは、全体または一部において、互いに重なり合う位置に設けられている
（１）ないし（４）のいずれか一項に記載の肩ベルト。
（６）
前記複数の屈曲促進構造は、前記芯材、前記表地材および前記裏地材に設けられ、
前記芯材に設けられた複数の屈曲促進構造と、前記表地材に設けられた複数の屈曲促進構造と、前記裏地材に設けられた複数の屈曲促進構造とは、全体または一部において、互いに重なり合う位置に設けられている
（１）ないし（５）のいずれか一項に記載の肩ベルト。
（７）
前記複数の屈曲促進構造は、少なくとも前記芯材および前記裏地材に設けられ、
前記裏地材に設けられた複数の屈曲促進構造のうち互いに隣接する２つの屈曲促進構造は、前記芯材に設けられた複数の屈曲促進構造に食い込んでいる
（１）ないし（６）のいずれか一項に記載の肩ベルト。
（８）
各屈曲促進構造は、当該屈曲促進構造の設けられた部材の幅いっぱいに設けられている
（１）ないし（７）のいずれか一項に記載の肩ベルト。
（９）
各屈曲促進構造は、当該屈曲促進構造の設けられた部材の幅方向の両端部を除いた領域だけに設けられている
（１）ないし（７）のいずれか一項に記載の肩ベルト。
（１０）
各屈曲促進構造は、当該屈曲促進構造の設けられた部材の幅方向の一方の端部を除いた領域だけに設けられている
（１）ないし（７）のいずれか一項に記載の肩ベルト。
（１１）
前記複数の屈曲促進構造は、前記芯材の延在方向に、１個ずつまたは複数個ずつ、互い違いに設けられている
（１）ないし（７）のいずれか一項に記載の肩ベルト。
（１２）
前記複数の屈曲促進構造のうち全部または一部の屈曲促進構造は、前記芯材に設けられ、かつミシン目状の複数の針穴、複数の窪み、１もしくは複数の第２の溝、１もしくは複数の開口、または切り欠きを含んで構成されている
（１）ないし（１１）のいずれか一項に記載の肩ベルト。
（１３）
前記芯材は、シート状の基材に前記複数の屈曲促進構造が設けられた形状となっている
（１２）に記載の肩ベルト。
（１４）
前記芯材は、前記複数の屈曲促進構造が設けられた部分以外の部分において、場所に依らず均一またはほぼ均一な厚さとなっているか、または、前記芯材の幅方向の両端部を除いた部分において、前記芯材の幅方向の両端部の厚さよりも厚くなっている
（１３）に記載の肩ベルト。
（１５）
前記芯材に設けられた複数の屈曲促進構造は、前記芯材の幅いっぱいに設けられ、かつ１もしくは複数の前記第２の溝または複数の前記窪みを含んで構成されている
（１２）ないし（１４）のいずれか一項に記載の肩ベルト。
（１６）
前記芯材に設けられた複数の屈曲促進構造は、前記芯材の幅方向の両端部を除いた領域だけに設けられ、かつ前記ミシン目状の複数の針穴、前記複数の窪み、前記１もしくは複数の第２の溝、または前記１もしくは複数の開口を含んで構成されている
（１２）ないし（１４）のいずれか一項に記載の肩ベルト。
（１７）
前記芯材に設けられた複数の屈曲促進構造は、前記芯材の幅方向の一方の端部を除いた領域だけに設けられている
（１２）ないし（１４）のいずれか一項に記載の肩ベルト。
（１８）
前記芯材に設けられた複数の屈曲促進構造は、前記芯材の延在方向に、１個ずつまたは複数個ずつ、互い違いに設けられている
（１２）ないし（１４）のいずれか一項に記載の肩ベルト。
（１９）
一対の肩ベルトと、
前記一対の肩ベルトと連結された、収容部を含む本体部と
を備え、
各肩ベルトは、
帯状の芯材と、
前記芯材の正面側に設けられた帯状の表地材と、
前記芯材の背面側に設けられた帯状の裏地材と
を有し、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
鞄。
（２０）
一対の肩ベルトと、
前記一対の肩ベルトを保持する保持部と
を備え、
各肩ベルトは、
帯状の芯材と、
前記芯材の正面側に設けられた帯状の表地材と、
前記芯材の背面側に設けられた帯状の裏地材と
を有し、
前記芯材、前記表地材および前記裏地材のうち少なくとも１つは、前記芯材の長手方向と直交する方向または斜めに交差する方向に、連続または断続して延びている複数の屈曲促進構造を有する前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
装着器具。
（２１）
帯状の芯材と、
前記芯材の正面側に設けられた帯状の表地材と、
前記芯材の背面側に設けられた帯状の裏地材と
を備え、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
持ち手。
（２２）
一対の持ち手と、
前記一対の持ち手と連結された収容部と
を備え、
各持ち手は、
帯状の芯材と、
前記芯材の正面側に設けられた帯状の表地材と、
前記芯材の背面側に設けられた帯状の裏地材と
を有し、
前記芯材、前記表地材および前記裏地材のうち少なくとも１つは、前記芯材の長手方向および短手方向のうち少なくとも前記長手方向に屈曲を促す複数の屈曲促進構造を有し、
各屈曲促進構造は、前記芯材の長手方向と直交する方向または斜めに交差する方向に、連続または断続して延びている
手提げ鞄。
（２３）
各持ち手は、前記表地材の正面と前記収容部の内面とが互いに接するか、または前記裏地材の背面と前記収容部の外面とが互いに接することにより、前記収容部に固定されている
（２２）に記載の手提げ鞄。
【符号の説明】
【０１２０】
１…ランドセル、２…装着器具、３…手提げ鞄、１０…本体部、１１…収容部、１２…背板部、１３…かぶせ部、１４，１５…固定部、２０…肩ベルト、２０Ａ…右側肩ベルト、２０Ｂ…左側肩ベルト、２１…芯材、２１Ａ，２３Ａ，…溝、２２…裏地材、２３…表地材、２４，２５…補強材、２６，２７…小孔、２８，２９…縫い目、２９Ａ，２９Ｂ，２９Ｃ，２９Ｄ，２９Ｅ，２０Ｆ…針穴、３０…接続ベルト、３０Ａ，３０Ｄ，３０Ｇ…窪み、３０Ｂ，３０Ｅ，３０Ｈ…切り欠き、３０Ｃ，３０Ｆ，３０Ｉ…開口、４０…連結部、５０…収納部、６０…持ち手、６０Ａ…左側持ち手、６０Ｂ…右側持ち手。
【図１】
2014104294.tif 000003
【図２】
2014104294.tif 000004
【図３】
2014104294.tif 000005
【図４】
2014104294.tif 000006
【図５】
2014104294.tif 000007
【図６】
2014104294.tif 000008
【図７】
2014104294.tif 000009
【図８】
2014104294.tif 000010
【図９】
2014104294.tif 000011
【図１０】
2014104294.tif 000012
【図１１】
2014104294.tif 000013
【図１２】
2014104294.tif 000014
【図１３】
2014104294.tif 000015
【図１４】
2014104294.tif 000016
【図１５】
2014104294.tif 000017
【図１６】
2014104294.tif 000018
【図１７】
2014104294.tif 000019
【図１８】
2014104294.tif 000020
【図１９】
2014104294.tif 000021
【図２０】
2014104294.tif 000022
【図２１】
2014104294.tif 000023
【図２２】
2014104294.tif 000024
【図２３】
2014104294.tif 000025
【図２４】
2014104294.tif 000026
【図２５】
2014104294.tif 000027
【図２６】
2014104294.tif 000028
【図２７】
2014104294.tif 000029
【図２８】
2014104294.tif 000030
【図２９】
2014104294.tif 000031
【図３０】
2014104294.tif 000032
【図３１】
2014104294.tif 000033
【図３２】
2014104294.tif 000034
【図３３】
2014104294.tif 000035
【図３４】
2014104294.tif 000036
【図３５】
2014104294.tif 000037
【図３６】
2014104294.tif 000038
【図３７】
2014104294.tif 000039
【図３８】
2014104294.tif 000040
【図３９】
2014104294.tif 000041
【図４０】
2014104294.tif 000042
【図４１】
2014104294.tif 000043
【図４２】
2014104294.tif 000044
【図４３】
2014104294.tif 000045
【図４４】
2014104294.tif 000046
【図４５】
2014104294.tif 000047
【図４６】
2014104294.tif 000048
【図４７】
2014104294.tif 000049
【図４８】
2014104294.tif 000050
【図４９】
2014104294.tif 000051
【図５０】
2014104294.tif 000052
【図５１】
2014104294.tif 000053